(57)【要約】【課題】  基地局装置１と移動局装置Ｐ１〜ＰＮとが無線により通信する移動無線通信システムで、移動局装置の動態管理を効率的に行う。【解決手段】  基地局装置では、下り空線信号無線送信手段が移動局装置を指定する情報及び移動局装置から返送するタイミングを特定する情報を含む下りの空線信号を無線により送信する。移動局装置では、下り空線信号受信手段が基地局装置から無線により送信される下りの空線信号を受信し、上り空線信号無線送信手段が下り空線信号受信手段により受信された下りの空線信号に含まれる情報により自局装置が指定される場合には当該下りの空線信号に含まれる情報により特定されるタイミングで自局装置に関する情報を含む上りの空線信号を基地局装置に対して無線により送信する。基地局装置では、上り空線信号受信手段が移動局装置から無線により送信される上りの空線信号を受信する。【選択図】  図１
2005229517.tif 000002
【特許請求の範囲】
【請求項１】
基地局装置と移動局装置とが無線により通信する移動無線通信システムにおいて、
基地局装置は、移動局装置を指定する情報及び移動局装置から返送するタイミングを特定する情報を含む下りの空線信号を無線により送信する下り空線信号無線送信手段と、
移動局装置から無線により送信される上りの空線信号を受信する上り空線信号受信手段と、を備え、
移動局装置は、基地局装置から無線により送信される下りの空線信号を受信する下り空線信号受信手段と、
下り空線信号受信手段により受信された下りの空線信号に含まれる情報により自局装置が指定される場合には当該下りの空線信号に含まれる情報により特定されるタイミングで自局装置に関する情報を含む上りの空線信号を基地局装置に対して無線により送信する上り空線信号無線送信手段と、を備えた、
ことを特徴とする移動無線通信システム。
【発明の詳細な説明】
【技術分野】
【０００１】
本発明は、基地局装置と移動局装置とが無線により通信する移動無線通信システムに関し、特に、空線信号を用いて、移動局装置の動態管理を効率的に行う移動無線通信システムに関する。
【背景技術】
【０００２】
例えば、ＳＣＰＣ（Single Channel Per Carrier system）狭帯域デジタル移動無線通信システム等の移動無線通信システムでは、基地局装置と移動局装置との間で無線により通信することが行われている。
また、このような移動無線通信システムでは、移動局装置の位置や状態等の変動（動態）を管理することが行われている。一例として、移動局装置をタクシーなどの乗り物に設けて、当該移動局装置の動態を管理することにより当該乗り物の動態を管理することが行われている。
また、基地局装置では、例えば、移動局装置との通信回線を確立するために、所定の空線信号を常時無線送信しており、また、移動局装置では、基地局装置からの空線信号に基づいて最適な基地局装置を選択して、所定の空線信号を基地局装置に対して無線送信することが行われている。これにより、基地局装置では、移動局装置がいずれの基地局装置の通信領域（サービスエリア）に存在するかを監視して、自己の通信領域に存在する移動局装置の識別情報を登録する。
一例として、ＳＣＰＣ狭帯域デジタル移動無線通信システムでは、基地局装置から移動局装置へ情報を伝達するために、基地局装置から移動局装置へ同期バースト信号を送信した後に、通信用チャネルを利用して情報を伝達することが必要であった。
なお、ＳＣＰＣ方式は、一般に、周波数分割多元接続（ＦＤＭＡ：Frequency Division Multiple Access）方式による多元化方式の一種であり、１つの無線搬送波で１つの情報源信号を送信する方式として知られている。
【０００３】
【特許文献１】特開２００１−３１３９８１号公報
【発明の開示】
【発明が解決しようとする課題】
【０００４】
しかしながら、従来のＳＣＰＣ狭帯域デジタル移動無線通信システム等の移動無線通信システムでは、上述のように通信起動のための一連の処理を実行しなければ移動局装置の動態管理を行うことができないため、例えば、１つ（１局）の移動局装置当たりの動態情報の収集に費やされる時間が大きくなってしまい、移動局装置の動態情報を容易に取得することができないといった不具合があった。
本発明は、このような従来の事情に鑑み為されたもので、移動局装置の動態管理を効率的に行うことができ、例えば、移動局装置の動態情報を短時間で収集することが可能な移動無線通信システムを提供することを目的とする。
【課題を解決するための手段】
【０００５】
上記目的を達成するため、本発明に係る移動無線通信システムでは、次のようにして、基地局装置と移動局装置とが無線により通信する。
すなわち、基地局装置では、下り空線信号無線送信手段が、移動局装置を指定する情報及び移動局装置から返送するタイミングを特定する情報を含む下りの空線信号を無線により送信する。
移動局装置では、下り空線信号受信手段が、基地局装置から無線により送信される下りの空線信号を受信し、そして、上り空線信号無線送信手段が、下り空線信号受信手段により受信された下りの空線信号に含まれる情報により自局装置（当該移動局装置）が指定される場合には、当該下りの空線信号に含まれる情報により特定されるタイミングで、自局装置に関する情報を含む上りの空線信号を基地局装置に対して無線により送信する。
基地局装置では、上り空線信号受信手段が、移動局装置から無線により送信される上りの空線信号を受信する。
従って、下りや上りの空線信号を使用して、移動局装置の動態管理を効率的に行うことができ、例えば、移動局装置の動態情報を短時間で収集することが可能である。
【０００６】
ここで、移動局装置を指定する情報としては、種々な情報が用いられてもよい。一例として、移動局装置を指定する情報として、各移動局装置に割り当てられた番号情報などの識別情報が用いられ、例えば、２個以上の移動局装置の識別情報が下りの空線信号に含められてもよい。他の一例として、個別の移動局装置を指定するのではなく、移動局装置を指定する情報として、全ての移動局装置を指定することを示す情報が用いられてもよい。
また、移動局装置から返送するタイミングを特定する情報としては、種々な情報が用いられてもよい。一例として、移動局装置から返送するタイミングを特定する情報として、フレームやスロットを単位としたタイミングを示す情報が用いられる。例えば、下りの空線信号において、１個以上の移動局装置を指定して、それぞれの移動局装置毎にタイミングを特定する情報が用いられる。他の一例として、各移動局装置毎に番号の情報が割り当てられており、下りの空線信号に全ての移動局装置を指定することを示す情報が含まれる場合には、それぞれの移動局装置において自局装置（当該それぞれの移動局装置）に割り当てられた番号の情報に基づくタイミングで返送することが特定されるような態様が用いられる。
また、上りの空線信号に含められる移動局装置（自局装置）に関する情報としては、種々な情報が用いられてもよく、例えば、移動局装置の識別情報や、移動局装置の状態を表す情報などを用いることができる。
【０００７】
また、下りの空線信号や、上りの空線信号としては、それぞれ、種々な情報を含む信号が用いられてもよい。例えば、下りの空線信号や、上りの空線信号としては、全てが０値から成るビット領域、無線情報チャネル（ＲＩＣＨ）のビット領域、同期ワード（ＳＷ）のビット領域のうちの１以上を含むようなものが用いられる。
一構成例として、基地局装置は、従来の下りの空線信号に含まれる未定義領域に、移動局装置を指定する情報や、移動局装置からの返送のタイミングを特定する情報を含める。
一構成例として、移動局装置は、従来の上りの空線信号に含まれる未定義領域に、自局装置に関する情報を含める。
一構成例として、基地局装置或いは基地局装置より上位の装置は、移動局装置から受信された上りの空線信号に含まれる情報に基づいて、移動局装置の識別情報と当該移動局装置に関する動態情報とを対応付けて管理する移動局装置動態情報管理手段を備える。
【発明の効果】
【０００８】
以上説明したように、本発明に係る移動無線通信システムによると、基地局装置が移動局装置を指定する情報及び移動局装置から返送するタイミングを特定する情報を含む下りの空線信号を無線送信し、移動局装置が当該下りの空線信号を受信して当該下りの空線信号に含まれる情報により自局装置（当該移動局装置）が指定される場合には当該下りの空線信号に含まれる情報により特定されるタイミングで自局装置に関する情報を含む上りの空線信号を基地局装置に対して無線送信し、基地局装置が当該上りの空線信号を受信するようにしたため、基地局装置側で、移動局装置の動態管理を効率的に行うことができ、例えば、移動局装置の動態情報を短時間で収集することが可能である。
【発明を実施するための最良の形態】
【０００９】
本発明に係る一実施例を図面を参照して説明する。
本例では、移動無線通信システムであるＳＣＰＣ狭帯域デジタル移動通信システムに本発明を適用した場合を示す。
図１には、本例の移動無線通信システムの構成例を示してある。
本例の移動無線通信システムには、基地局装置１と、複数であるＮ個の移動局装置Ｐ１〜ＰＮが備えられている。
なお、移動無線通信システムには、一般に、複数の基地局装置や複数の移動局装置が存在し、本例では、説明の便宜上から、これらの一部を図１に示して説明する。
本例の移動無線通信システムであるＳＣＰＣ狭帯域デジタル移動通信システムでは、基地局装置１と移動局装置Ｐ１〜ＰＮとの間で空線信号を無線により通信する。
【００１０】
図２には、空線信号のフォーマットの一例を示してあり、これはＡＲＩＢ  ＳＴＤ−Ｔ６１に基づくものである。
本例の空線信号は、全てが“０”値とされる１２８ビット（ｂｉｔ）の信号部分と、無線情報チャネル（ＲＩＣＨ）として使用される５６ビットの信号部分と、同期ワード（ＳＷ）が格納される２０ビットの信号部分と、未定義な領域（未定義領域）である２０ビットの信号部分と、全てが“０”値とされる１６０ビットの信号部分から構成されている。
本例では、基地局装置１から移動局装置Ｐ１〜ＰＮに対して、常に、下りの空線信号を無線により送信する。当該空線信号には上記のように未定義領域が存在しており、基地局装置１は当該未定義領域に情報を乗せて移動局装置Ｐ１〜ＰＮに対して無線送信する。
各移動局装置Ｐ１〜ＰＮは、常に、基地局装置１からの下りの空線信号を受信する。当該空線信号の未定義領域に情報が乗っている場合には、各移動局装置Ｐ１〜ＰＮは、上りの空線信号を利用して、当該情報に対する応答を行う。各移動局装置Ｐ１〜ＰＮは、当該応答を行うに際して、上記した下りの空線信号と同様に、上りの空線信号の未定義領域に情報を乗せて基地局装置１に対して無線送信する。
【００１１】
図３には、基地局装置１により無線送信される下りの空線信号の未定義領域のフォーマットの一例を示してある。
本例の下りの空線信号の未定義領域には、“１”〜“２５５”のいずれかの値をとる「移動局装置番号１」の情報を格納する８ビットの信号部分と、“１”〜“２５５”のいずれかの値をとる「移動局装置番号２」の情報を格納する８ビットの信号部分と、“１”値をとる場合には一斉送信である旨を示す一方で“０”値をとる場合には個別送信である（一斉送信ではない）旨を示す「一斉」に関する情報を格納する１ビットの信号部分と、「予備」となる３ビットの信号部分が割り当てられて含められる。
ここで、「移動局装置番号１」及び「移動局装置番号２」は、それぞれ、下りの空線信号の送信先となる移動局装置Ｐ１〜ＰＮの番号を表す。なお、本例では、基地局装置１により管理される各移動局装置Ｐ１〜ＰＮには、“１”〜“２５５”のいずれかの値の番号が割り当てられる。また、本例では、「移動局装置番号１」及び「移動局装置番号２」は、一斉送信ではなく個別送信である場合に使用され、２つまで異なる移動局装置Ｐ１〜ＰＮの番号を指定することが可能である。
また、「一斉」に関する情報ビットでは、全ての移動局装置Ｐ１〜ＰＮに対して下りの空線信号を送信するものであるか否かを判断することを可能とする。
【００１２】
図４には、各移動局装置Ｐ１〜ＰＮにより無線送信される上りの空線信号の未定義領域のフォーマットの一例を示してある。
本例の上りの空線信号の未定義領域には、移動局装置Ｐ１〜ＰＮの動態に関する情報（動態情報）である「移動局装置の動態情報」を格納する８ビットの信号部分と、“１”〜“２５５”のいずれかの値をとる「移動局装置に割り当てられている固有の番号」の情報を格納する８ビットの信号部分と、「予備」となる４ビットの信号部分が割り当てられて含められる。
ここで、本例では、「移動局装置の動態情報」としては、各移動局装置Ｐ１〜ＰＮの状態の情報が用いられる。
本例では、各移動局装置Ｐ１〜ＰＮに、「作業中」である場合には“００Ｈ”という値、「移動中」である場合には“０１Ｈ”という値、「帰社」である場合には“０２Ｈ”という値、「休憩中」である場合には“０３Ｈ”という値、「食事中」である場合には“０４Ｈ”という値、というように、各種の状態と「移動局装置の動態情報」の値とが対応付けられて初期的に設定（既設定）されている。なお、“Ｈ”は１６進数を表している。また、各移動局装置Ｐ１〜ＰＮでは、このような既設定状態に対して、状態の設定変更や、状態の設定追加などを人（ユーザ）等により為すことが可能である。
【００１３】
本例では、各移動局装置Ｐ１〜ＰＮを使用する人（ユーザ）は、自己の作業や移動などの状態に応じて、当該各移動局装置Ｐ１〜ＰＮを操作して、当該各移動局装置Ｐ１〜ＰＮに任意の「移動局装置の動態情報」を設定することが可能である。
また、「移動局装置に割り当てられている固有の番号」では、各移動局装置Ｐ１〜ＰＮを識別する番号の情報により、各移動局装置Ｐ１〜ＰＮを特定することが可能である。
各移動局装置Ｐ１〜ＰＮは、自局装置（当該各移動局装置Ｐ１〜ＰＮ）の状態の情報及び自局装置（当該各移動局装置Ｐ１〜ＰＮ）の番号の情報を含めて上りの空線信号を基地局装置１に対して無線送信する。
【００１４】
各移動局装置Ｐ１〜ＰＮでは、次のようなタイミングで、基地局装置１からの下りの空線信号に対して、上りの空線信号を送信する。
すなわち、各移動局装置Ｐ１〜ＰＮは、基地局装置１からの下りの空線信号を受信して、当該下りの空線信号の未定義領域に含まれる「一斉」のビットが“０”値である場合には、当該下りの空線信号に含まれる「移動局装置番号１」と「移動局装置番号２」とのいずれかに自局装置（当該各移動局装置Ｐ１〜ＰＮ）の番号の情報が格納されているか否かを判断する。そして、各移動局装置Ｐ１〜ＰＮは、自局装置の番号情報が「移動局装置番号１」に格納されている場合には、１フレーム待機した後に、自局装置に関する「移動局装置の動態情報」及び「移動局装置に割り当てられている固有の番号」の情報を乗せた上りの空線信号を応答として無線送信し、また、自局装置の番号情報が「移動局装置番号２」に格納されている場合には、２フレーム待機した後に、自局装置に関する「移動局装置の動態情報」及び「移動局装置に割り当てられている固有の番号」の情報を乗せた上りの空線信号を応答として無線送信する。
【００１５】
また、各移動局装置Ｐ１〜ＰＮは、基地局装置１からの下りの空線信号を受信して、当該下りの空線信号の未定義領域に含まれる「一斉」のビットが“１”値である場合には、当該下りの空線信号の対象が全ての移動局装置Ｐ１〜ＰＮであると判断して、当該下りの空線信号を受信してから、自局装置（各移動局装置Ｐ１〜ＰＮ）に割り当てられた番号分のフレーム待機した後に、自局装置に関する「移動局装置の動態情報」及び「移動局装置に割り当てられている固有の番号」の情報を乗せた上りの空線信号を応答として無線送信する。一例として、或る移動局装置に割り当てられた番号が“３”であるとすると、当該移動局装置は、基地局装置１からの下りの空線信号を受信してから３フレームを待った後に、応答のための上りの空線信号を送信する。
基地局装置１は、各移動局装置Ｐ１〜ＰＮからの上りの空線信号を受信することにより、当該受信した上りの空線信号に含まれる情報に基づいて、各移動局装置Ｐ１〜ＰＮの動態情報を収集する。
【００１６】
次に、図５を参照して、基地局装置１と移動局装置Ｐ１〜Ｐ３との間で行われる空線信号の通信の具体例を示す。
図５には、基地局装置１と、Ｎ個の移動局装置Ｐ１〜ＰＮを示してあり、また、基地局装置１から移動局装置Ｐ１に対して無線送信される下りの空線信号ａ１と、基地局装置１から移動局装置Ｐ２に対して無線送信される下りの空線信号ａ２と、基地局装置１から移動局装置ＰＮに対して無線送信される下りの空線信号ａ３と、移動局装置Ｐ１から基地局装置１に対して無線送信される上りの空線信号ｂ１と、移動局装置ＰＮから基地局装置１に対して無線送信される上りの空線信号ｂ２を示してある。ここで、移動局装置Ｐ１から基地局装置１に対して無線送信される上りの空線信号ｂ１では応答情報が正常に伝送されたとし、移動局装置ＰＮから基地局装置１に対して無線送信される上りの空線信号ｂ２では応答情報が異常に伝送されたとする。
【００１７】
まず、基地局装置１から例えば定期的に連絡情報が乗った下りの空線信号ａ１〜ａ３を無線送信し、当該下りの空線信号ａ１〜ａ３を正常に受信した移動局装置Ｐ１〜ＰＮでは、当該下りの空線信号ａ１〜ａ３に含まれる「一斉」に関する情報ビットを参照する。例えば、受信した下りの空線信号ａ１〜ａ３に含まれる「一斉」に関する情報ビットが“０”値である場合には、移動局装置Ｐ１〜ＰＮでは、自局装置の番号が当該下りの空線信号ａ１〜ａ３に含まれる「移動局装置番号１」或いは「移動局装置番号２」のいずれかに格納されているか否かを確認する。そして、移動局装置Ｐ１〜ＰＮでは、自局装置の番号が「移動局装置番号１」に格納されている場合には、１フレーム待った後に、「移動局装置の動態情報」及び「移動局装置に割り当てられている固有の番号」の応答情報を乗せた上りの空線信号ｂ１、ｂ２を無線送信し、また、自局装置の番号が「移動局装置番号２」に格納されている場合には、２フレーム待った後に、「移動局装置の動態情報」及び「移動局装置に割り当てられている固有の番号」の応答情報を乗せた上りの空線信号ｂ１、ｂ２を無線送信する。
【００１８】
一方、受信した下りの空線信号ａ１〜ａ３に含まれる「一斉」に関する情報ビットが“１”値である場合には、移動局装置Ｐ１〜ＰＮでは、自局装置に割り当てられた番号分のフレームを待った後に、「移動局装置の動態情報」及び「移動局装置に割り当てられている固有の番号」の応答情報を乗せた上りの空線信号ｂ１、ｂ２を無線送信する。
基地局装置１では、各移動局装置Ｐ１〜ＰＮから受信される上りの空線信号ｂ１に含まれる「移動局装置の動態情報」及び「移動局装置に割り当てられている固有の番号」の情報を確認することにより、移動局装置Ｐ１〜ＰＮの動態管理を行う。なお、例えば、移動局装置Ｐ１〜ＰＮからの上りの空線信号を無受信である（つまり、受信しない）場合や、或いは、応答情報を認識することが不可能な空線信号ｂ２を受信した場合には、基地局装置１では、該当する移動局装置Ｐ１〜ＰＮが利用不可能な状態であることを確認する。
【００１９】
次に、本例の基地局装置１や本例の移動局装置Ｐ１〜ＰＮにより行われる処理の手順の一例を示す。
図６を参照して、基地局装置１により行われる処理の手順の一例を示す。
基地局装置１では、常時、例えば定期的なタイミング毎に、移動局装置Ｐ１〜ＰＮの動態情報を収集するための下りの空線信号を無線送信する（ステップＳ１）。そして、移動局装置Ｐ１〜ＰＮから応答として上りの空線信号が無線送信された場合には、当該上りの空線信号を受信して（ステップＳ２）、当該上りの空線信号に含まれる「移動局装置の動態情報」を参照し、動態情報が正常に取得されたか否かを判定する（ステップＳ３）。この結果、当該動態情報が正常に取得された場合には、当該上りの空線信号に含まれる「移動局装置に割り当てられている固有の番号」の情報に対応した移動局装置と当該動態情報とを対応付けて管理する（ステップＳ４）。一方、当該動態情報が異常であった場合には、当該上りの空線信号に含まれる「移動局装置に割り当てられている固有の番号」の情報に対応した移動局装置は利用不可能な状態であるという情報を取得する（ステップＳ５）。
【００２０】
図７を参照して、各移動局装置Ｐ１〜ＰＮにより行われる処理の手順の一例を示す。
各移動局装置Ｐ１〜ＰＮでは、移動局装置の動態情報を収集するための下りの空線信号を基地局装置１から正常に受信すると（ステップＳ１１）、当該下りの空線信号に含まれる「一斉」に関する情報ビットを参照して（ステップＳ１２）、当該情報ビットが“１”値である場合には、自局装置の番号分だけフレームが経過したタイミングで、応答情報を含めた上りの空線信号を無線送信する（ステップＳ１３）。また、受信した下りの空線信号に含まれる「一斉」に関する情報ビットが“０”値であって、当該下りの空線信号に含まれる「移動局装置番号１」が自局装置の番号と一致した場合には（ステップＳ１４）、１フレームが経過したタイミングで、応答情報を含めた上りの空線信号を無線送信する（ステップＳ１５）。また、受信した下りの空線信号に含まれる「一斉」に関する情報ビットが“０”値であって、当該下りの空線信号に含まれる「移動局装置番号２」が自局装置の番号と一致した場合には（ステップＳ１６）、２フレームが経過したタイミングで、応答情報を含めた上りの空線信号を無線送信する（ステップＳ１７）。なお、受信した下りの空線信号が一斉送信に係るものではなく、更に、「移動局装置番号１」と「移動局装置番号２」のいずれも自局装置の番号とは異なっている場合には、特には何もせず、上りの空線信号は送信しない。
【００２１】
以上のように、本例の移動無線通信システムでは、例えば、通信起動のための一連処理を実行せずに、基地局装置１から各移動局装置Ｐ１〜ＰＮへ動態情報の要求を行うための情報が設定された下りの空線信号を送信し、各移動局装置Ｐ１〜ＰＮから基地局装置１へ動態情報が設定された上りの空線信号を送信することにより、移動局装置Ｐ１〜ＰＮの動態管理を行う。
従って、本例の移動無線通信システムでは、例えば、通信起動の一連処理を実行せずに、空線信号を利用して、移動局装置Ｐ１〜ＰＮの動態管理を行うことができ、また、空線信号のみを使用することにより、例えば従来と比べて、移動局装置Ｐ１〜ＰＮの動態情報の収集を短時間で行うことができる。
【００２２】
なお、本例の移動無線通信システムの基地局装置１は、下りの空線信号を無線送信する下り空線信号無線送信手段の機能や、上りの空線信号を受信する上り空線信号受信手段の機能を備えている。
また、本例の移動無線通信システムの各移動局装置Ｐ１〜ＰＮは、下りの空線信号を受信する下り空線信号受信手段の機能や、上りの空線信号を無線送信する上り空線信号無線送信手段の機能を備えている。
また、本例の下りの空線信号では、一態様として、移動局装置Ｐ１〜ＰＮを指定する情報として「移動局装置番号１」や「移動局装置番号２」の情報が用いられているとともに、移動局装置Ｐ１〜ＰＮから返送するタイミングを特定する情報として「移動局装置番号１」に該当するか或いは「移動局装置番号２」に該当するかという情報が用いられており、他の一態様として、移動局装置Ｐ１〜ＰＮを指定する情報として「一斉」送信であるために全ての移動局装置Ｐ１〜ＰＮを指定することを示す情報（本例では、“１”値の情報）が用いられているとともに、移動局装置Ｐ１〜ＰＮから返送するタイミングを特定する情報として「一斉」送信であるためにそれぞれの移動局装置Ｐ１〜ＰＮに設定された番号に応じたタイミングを用いることを示す情報（本例では、“１”値の情報）が用いられている。
また、本例の上りの空線信号では、移動局装置（自局装置）Ｐ１〜ＰＮに関する情報として、「移動局装置の動態情報」や「移動局装置に割り当てられている固有の番号」の情報が用いられている。
【００２３】
ここで、本発明に係る移動無線通信システムや基地局装置や移動局装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々な装置やシステムとして提供することも可能である。
また、本発明の適用分野としては、必ずしも以上に示したものに限られず、本発明は、種々な分野に適用することが可能なものである。
また、本発明に係る移動無線通信システムや基地局装置や移動局装置などにおいて行われる各種の処理としては、例えばプロセッサやメモリ等を備えたハードウエア資源においてプロセッサがＲＯＭ（Read Only Memory）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Compact Disc）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００２４】
【図１】本発明の一実施例に係る移動無線通信システムの構成例を示す図である。
【図２】空線信号のフォーマットの一例を示す図である。
【図３】基地局装置により使用される空線信号の未定義領域のフォーマットの一例を示す図である。
【図４】移動局装置により使用される空線信号の未定義領域のフォーマットの一例を示す図である。
【図５】基地局装置と移動局装置との間で行われる空線信号の通信の様子の一例を示す図である。
【図６】基地局装置により行われる処理の手順の一例を示す図である。
【図７】移動局装置により行われる処理の手順の一例を示す図である。
【符号の説明】
【００２５】
１・・基地局装置、  Ｐ１〜ＰＮ・・移動局装置、  ａ１〜ａ３、ｂ１、ｂ２・・空線信号、
【図１】
2005229517.tif 000003
【図２】
2005229517.tif 000004
【図３】
2005229517.tif 000005
【図４】
2005229517.tif 000006
【図５】
2005229517.tif 000007
【図６】
2005229517.tif 000008
【図７】
2005229517.tif 000009